(57)【要約】【課題】封筒用紙の封じ目となる部分に印刷する、シーリングスタンプの画像を含んだ封筒画像のデータを、簡便に生成する。【解決手段】封筒Ｅの表面Ｅ１や裏面Ｅ２における宛先Ｃ２、差出人Ｃ３、コメントＣ４及びシーリングスタンプＣ５の内容を指定すると、印刷封入封緘アプリドライバ１３０が、展開状態の封筒用紙Ｐ２における各画像を配置する位置や向きを検出する。展開状態の封筒用紙Ｐ２上では、封筒Ｅの封じ目Ｅ３の両側の部分が、封筒Ｅの裏面Ｅ２の封じ目Ｅ３の両側に位置する、封筒用紙Ｐ２の一方の端部（上端）と、他方の端部側（下端側）の破線Ｐ５の上とに分かれる。封じ目Ｅ３を跨いで配置されるシーリングスタンプＣ５の画像を配置する位置も、封筒用紙Ｐ２の両端に分かれる。そして、各位置に配置されるのは、封じ目Ｅ３を境に分かれたシーリングスタンプＣ５の上半分の部分と下半分の部分の上下逆転させた向きの画像となる。【選択図】図４
2018106503.tif 000002
【特許請求の範囲】
【請求項１】
画像形成装置に出力する印刷ジョブに含まれる、封筒用紙に印刷する封筒画像を生成する封筒画像生成装置であって、
前記封筒用紙を折り畳んで形成した封筒の封じ目を跨ぐ位置に配置するシーリングスタンプの画像を指定するスタンプ画像指定部と、
前記スタンプ画像指定部で指定された前記シーリングスタンプの画像を、前記封筒の前記封じ目を跨ぐ位置に配置するための、展開状態の前記封筒用紙上における前記シーリングスタンプの画像が配置される位置を検出するスタンプ展開位置検出部と、
前記スタンプ展開位置検出部で検出された位置に前記シーリングスタンプの画像を配置した前記封筒画像を生成する封筒画像生成部と、
を備える封筒画像生成装置。
【請求項２】
前記スタンプ画像指定部で指定された前記シーリングスタンプの画像の大きさに基づいて、前記封筒の前記封じ目が存在する面に前記封じ目を跨いで前記シーリングスタンプの画像を配置するための、前記封筒用紙の折り畳み位置を決定する折り畳み位置決定部をさらに備える請求項１記載の封筒画像生成装置。
【請求項３】
前記封筒に封入される内容物の枚数を指定する内容物枚数指定部をさらに備えており、前記スタンプ展開位置検出部は、前記内容物枚数指定部で指定された前記内容物の枚数に応じた前記封筒用紙の折り畳み位置に基づいて、展開状態の前記封筒用紙上における前記封じ目を跨いで前記シーリングスタンプの画像が配置される位置を検出する請求項１又は２記載の封筒画像生成装置。
【請求項４】
前記封筒用紙の種類を指定する用紙種類指定部をさらに備えており、前記スタンプ展開位置検出部は、前記用紙種類指定部で指定された種類に応じた前記封筒用紙の折り畳み位置に基づいて、展開状態の前記封筒用紙上における前記封じ目を跨いで前記シーリングスタンプの画像が配置される位置を検出する請求項１、２又は３記載の封筒画像生成装置。
【請求項５】
画像形成装置に印刷ジョブを出力する印刷制御装置において動作し、封筒用紙に印刷する封筒画像を生成する封筒画像生成プログラムであって、
前記印刷制御装置を、
前記封筒用紙を折り畳んで形成した封筒の封じ目を跨ぐ位置に配置するシーリングスタンプの画像を指定するスタンプ画像指定部と、
前記スタンプ画像指定部で指定された前記シーリングスタンプの画像を、前記封筒の前記封じ目を跨ぐ位置に配置するための、展開状態の前記封筒用紙上における前記シーリングスタンプの画像が配置される位置を検出するスタンプ展開位置検出部と、
前記スタンプ展開位置検出部で検出された位置に前記シーリングスタンプの画像を配置した前記封筒画像を生成する封筒画像生成部と、
として機能させる、
封筒画像生成プログラム。
【発明の詳細な説明】
【技術分野】
【０００１】
本発明は、封筒用紙に印刷する封筒画像を生成する技術に関する。
【背景技術】
【０００２】
封筒用紙を折り畳んで形成した封筒を封緘して封書を作成する封緘システムでは、アプリケーションプログラムを用いて生成した封筒用紙の画像データからプリンタドライバで印刷ジョブを生成し、画像形成装置に出力して封筒用紙に画像を印刷している。そして、印刷後の封筒用紙を後段の封緘装置において折り畳んで封筒を形成し封緘することで、封書を作成している。
【０００３】
そして、このような手順で封書を作成する際に、内容物用紙を折り畳んで形成した内容物を封筒内に封入して封緘する場合について、本出願人は過去に、封書の通毎に印刷ジョブを分けて、封筒用紙の画像データと内容物用紙の画像データとの関連付けを容易にすることを提案している。
【先行技術文献】
【特許文献】
【０００４】
【特許文献１】特開２０１３−１７４９６７号公報
【発明の概要】
【発明が解決しようとする課題】
【０００５】
ところで、上述した封書を作成する際に、封筒用紙の折り畳み重ね合わせて糊付けする封じ目の部分に封蝋（シーリングワックス）を模したシーリングスタンプ画像を印刷して、封書に高級感を伴わせることが要望されている。
【０００６】
この場合、シーリングスタンプの画像を封筒用紙に印刷する位置を、折り畳む前の展開状態の封筒用紙上で決定しなければならず、しかも、折り畳んだ封筒用紙の重ね合わせて糊付けする封じ目の部分に配置されるシーリングスタンプ画像は、折り畳む前の封筒用紙の展開状態では、折り畳んだときに封じ目を構成する封筒用紙の複数箇所に分散して配置される。このため、シーリングスタンプの画像を含む封筒画像のデータを生成するのはなかなか面倒である。
【０００７】
本発明は前記事情に鑑みなされたもので、本発明の目的は、封筒用紙の封じ目となる部分に印刷する、シーリングスタンプの画像を含んだ封筒画像のデータを、簡便に生成することができる封筒画像生成プログラム及びその装置を提供することにある。
【課題を解決するための手段】
【０００８】
上記目的を達成するため、本発明の第１の態様による封筒画像生成装置は、
画像形成装置に出力する印刷ジョブに含まれる、封筒用紙に印刷する封筒画像を生成する封筒画像生成装置であって、
前記封筒用紙を折り畳んで形成した封筒の封じ目を跨ぐ位置に配置するシーリングスタンプの画像を指定するスタンプ画像指定部と、
前記スタンプ画像指定部で指定された前記シーリングスタンプの画像を、前記封筒の前記封じ目を跨ぐ位置に配置するための、展開状態の前記封筒用紙上における前記シーリングスタンプの画像が配置される位置を検出するスタンプ展開位置検出部と、
前記スタンプ展開位置検出部で検出された位置に前記シーリングスタンプの画像を配置した前記封筒画像を生成する封筒画像生成部と、
を備える。
【０００９】
また、本発明の第２の態様による封筒画像生成装置は、本発明の第１の態様による封筒画像生成装置において、前記スタンプ画像指定部で指定された前記シーリングスタンプの画像の内容及び大きさに基づいて、前記封筒の前記封じ目が存在する面に前記封じ目を跨いで前記シーリングスタンプの画像を配置するための、前記封筒用紙の折り畳み位置を決定する折り畳み位置決定部をさらに備える。
【００１０】
さらに、本発明の第３の態様による封筒画像生成装置は、本発明の第１又は第２の態様による封筒画像生成装置において、前記封筒に封入される内容物の枚数を指定する内容物枚数指定部をさらに備えており、前記スタンプ展開位置検出部は、前記内容物枚数指定部で指定された前記内容物の枚数に応じた前記封筒用紙の折り畳み位置に基づいて、展開状態の前記封筒用紙上における前記封じ目を跨いで前記シーリングスタンプの画像が配置される位置を検出する。
【００１１】
また、本発明の第４の態様による封筒画像生成装置は、本発明の第１、第２又は第３の態様による封筒画像生成装置において、前記封筒用紙の種類を指定する用紙種類指定部をさらに備えており、前記スタンプ展開位置検出部は、前記用紙種類指定部で指定された種類に応じた前記封筒用紙の折り畳み位置に基づいて、展開状態の前記封筒用紙上における前記封じ目を跨いで前記シーリングスタンプの画像が配置される位置を検出する。
【００１２】
さらに、上記目的を達成するため、本発明の第５の態様による封筒画像生成プログラムは、
画像形成装置に印刷ジョブを出力する印刷制御装置において動作し、封筒用紙に印刷する封筒画像を生成する封筒画像生成プログラムであって、
前記印刷制御装置を、
前記封筒用紙を折り畳んで形成した封筒の封じ目を跨ぐ位置に配置するシーリングスタンプの画像を指定するスタンプ画像指定部と、
前記スタンプ画像指定部で指定された前記シーリングスタンプの画像を、前記封筒の前記封じ目を跨ぐ位置に配置するための、展開状態の前記封筒用紙上における前記シーリングスタンプの画像が配置される位置を検出するスタンプ展開位置検出部と、
前記スタンプ展開位置検出部で検出された位置に前記シーリングスタンプの画像を配置した前記封筒画像を生成する封筒画像生成部と、
として機能させる。
【発明の効果】
【００１３】
本発明によれば、封筒用紙の封じ目となる部分に印刷する、シーリングスタンプの画像を含んだ封筒画像のデータを、簡便に生成することができる。
【００１４】
即ち、本発明の第１の態様による封筒画像生成装置と、本発明の第５の態様による封筒画像生成プログラムとによれば、封筒の封じ目に配置するシーリングスタンプの画像を指定すると、展開状態の封筒用紙上におけるシーリングスタンプの画像が配置される位置が検出される。
【００１５】
このとき、展開状態の封筒用紙上では、封筒の封じ目の両側の部分が分かれて配置される。このため、封筒の封じ目を跨いで配置されるシーリングスタンプの画像の展開状態の封筒用紙上における位置として検出される箇所も２つに分かれる。そして、各位置に配置されるのは、封じ目の境界線を境に分かれたシーリングスタンプの各部分の画像となる。
【００１６】
したがって、封筒画像生成部で生成される封筒画像は、封筒用紙を折り畳むことでシーリングスタンプの各部分の画像が一つのシーリングスタンプの画像にまとまって、封筒の封じ目を跨いで配置されるように、展開状態の封筒用紙の各所にシーリングスタンプの各部分の画像がそれぞれ適切な向きで配置された画像となる。
【００１７】
よって、封筒用紙の封じ目となる部分に印刷する、シーリングスタンプの画像を含んだ封筒画像のデータを、簡便に生成することができる。
【００１８】
ところで、封筒の封じ目が存在する面においてシーリングスタンプの画像を封じ目を跨いで配置させるためには、シーリングスタンプの画像の一部をそれぞれ配置できる程度の広さの面が、封じ目の境界線の両側にそれぞれ必要となる。
【００１９】
しかし、封筒用紙の折り畳み位置が封じ目の境界線に近いところにあると、封じ目の境界線と封筒用紙の折り畳み位置との間に、シーリングスタンプの画像の一部を配置できる程度の広さの面を確保することができなくなる。
【００２０】
そこで、本発明の第２の態様による封筒画像生成装置では、本発明の第１の態様による封筒画像生成装置において、シーリングスタンプの画像の内容及び大きさに基づいて、封筒の封じ目が存在する面に封じ目を跨いでシーリングスタンプの画像を配置するための封筒用紙の折り畳み位置を決定する。つまり、シーリングスタンプの画像の内容及び大きさ次第では、封筒用紙の折り畳み位置を必要に応じて変更する。
【００２１】
これにより、封じ目の境界線と封筒用紙の折り畳み位置との間に、シーリングスタンプの画像の一部を配置できる程度の広さの面を確保し、封筒の封じ目が存在する面にシーリングスタンプの画像を、確実に封じ目を跨ぐように配置することができる。
【００２２】
また、封筒に封入される内容物の枚数が異なると、内容物を封入するのに必要な封筒内の空間の大きさが異なるので、封筒を形成する際の封筒用紙の折り畳み位置も異なる。このため、封じ目の境界線と封筒用紙の折り畳み位置との間に確保できる、シーリングスタンプの画像の一部を配置できる面の広さは、封筒に封入する内容物の枚数によって異なる。
【００２３】
そこで、本発明の第３の態様による封筒画像生成装置では、本発明の第１又は第２の態様による封筒画像生成装置において、封筒に封入される内容物の枚数に基づいて、展開状態の封筒用紙上における封じ目を跨いでシーリングスタンプの画像が配置される位置を決定する。つまり、封筒に封入する内容物の枚数とそれに応じた折り畳み位置次第では、封じ目を跨いでシーリングスタンプの画像を配置する位置を、必要に応じて変更する。
【００２４】
同じく、大きさ等が異なる封筒を形成する際には、種類の異なる封筒用紙が使用される。使用する封筒用紙の種類が異なると、封筒を形成する際の封筒用紙の折り畳み位置も異なる。このため、封じ目の境界線と封筒用紙の折り畳み位置との間に確保できる、シーリングスタンプの画像の一部を配置できる面の広さは、封筒の形成に使用する封筒用紙の種類によって異なる。
【００２５】
そこで、本発明の第４の態様による封筒画像生成装置では、本発明の第１、第２又は第３の態様による封筒画像生成装置において、封筒の形成に用いる封筒用紙の種類に基づいて、展開状態の封筒用紙上における封じ目を跨いでシーリングスタンプの画像が配置される位置を決定する。つまり、封筒の形成に用いる封筒用紙の種類とそれに応じた折り畳み位置次第では、封じ目を跨いでシーリングスタンプの画像を配置する位置を、必要に応じて変更する。
【００２６】
これにより、本発明の第３及び第４の態様による封筒画像生成装置では、封じ目の境界線と封筒用紙の折り畳み位置との間が狭い場合であっても、そこにシーリングスタンプの画像の一部を確実に配置し、封筒の封じ目が存在する面にシーリングスタンプの画像を、確実に封じ目を跨ぐように配置することができる。
【図面の簡単な説明】
【００２７】
【図１】本発明の実施形態に係る印刷封入封緘アプリケーションプログラムをインストールしたクライアント端末を含む封入封緘システムの制御系の構成を示すブロック図である。
【図２】図１の封入封緘システムによって作成される封書を構成する内容物及び封筒の説明図である。
【図３】図１の宛先リストファイルの内容を示す説明図である。
【図４】図２の封筒用紙の拡大平面図である。
【図５】図１の印刷封入封緘アプリドライバがクライアント端末の出力部に表示させる封筒用紙に印刷する画像の封筒上での配置を入力するレイアウト指定画面の説明図である。
【図６】図１の印刷封入封緘アプリドライバが行う封筒の裏面における封じ目に跨がるシーリングスタンプの配置から展開状態の封筒用紙におけるシーリングスタンプの分散して配置する位置及び向きを検出する処理の手順を示すフローチャートである。
【図７】図１の印刷封入封緘アプリドライバが行う封筒用紙の種類に対応してシーリングスタンプが配置される領域を変更（検出）する処理の手順を示すフローチャートである。
【図８】図１の印刷封入封緘アプリドライバが行うシーリングスタンプの大きさに対応して封筒用紙の折り目の位置を変更（決定）する処理の手順を示すフローチャートである。
【発明を実施するための形態】
【００２８】
＜封入封緘システムの構成＞
以下、本発明の実施形態について、図面を参照して説明する。なお、説明中において、「上流」とは、用紙の搬送方向から見て上流のことをいい、「下流」とは、用紙の搬送方法から見て下流のことをいい、図中において、「Ｌ」は、左方向、「Ｒ」は、右方向をそれぞれ指している。
【００２９】
まず、後述する本発明の実施形態に係る印刷封入封緘アプリケーションプログラムをインストールしたクライアント端末を含む封入封緘システムの概略構成を、図面を参照して説明する。
【００３０】
図１は、本発明の実施形態に係る印刷封入封緘アプリケーションプログラムをインストールしたクライアント端末を含む封入封緘システムの制御系の構成を示すブロック図である。
【００３１】
図１に示す封入封緘システム１は、画像形成システム２と封入封緘装置４とを有している。画像形成システム２は、画像形成装置３とクライアント端末１００とを有している。
【００３２】
クライアント端末１００は、画像形成装置３に接続されたパーソナルコンピュータ等で構成される。このクライアント端末１００は、封書を構成する内容物用紙及び封筒用紙の印刷ジョブを通毎に生成して画像形成装置に出力する。
【００３３】
画像形成装置３は、クライアント端末１００からの印刷ジョブを実行し、内容物用紙及び封筒用紙に画像を印刷する。
【００３４】
封入封緘装置４は、画像形成装置３が画像を印刷した内容物用紙及び封筒用紙を折り畳んで内容物及び封筒を形成する。そして、封入封緘装置４は、形成した内容物を封筒に封入し封筒を封緘して封書を作成する。
【００３５】
図２は、封入封緘システム１によって作成される封書を構成する内容物及び封筒の説明図である。
【００３６】
図２に示す例は、顧客に配布する封書の例である。この例では、各顧客に配布する１通の封書が２枚の内容物用紙Ｐ１と１枚の封筒用紙Ｐ２とで構成される。そして、２枚の内容物用紙Ｐ１には、各顧客にそれぞれ通知する個別の通知文Ｃ１が印刷される。また、１枚の封筒用紙Ｐ２には、顧客の住所氏名を含む各封書の宛先Ｃ２等が印刷される。
【００３７】
そして、図１の封入封緘システム１では、クライアント端末１００が印刷ジョブを封書の通単位で出力し、画像形成装置３が通毎の印刷ジョブを実行する。これにより、各通の封書を構成する２枚の内容物用紙Ｐ１に通知文Ｃ１が印刷され、１枚の封筒用紙Ｐ２に宛先Ｃ２等が印刷される。そして、封入封緘装置４が、印刷後の内容物用紙Ｐ１及び封筒用紙Ｐ２を封入封緘して封書を作成する。
【００３８】
＜クライアント端末の構成＞
クライアント端末１００（請求項中の封筒画像生成装置に相当）は、ＲＯＭ１１７に格納された制御プログラムに基づいて各種の処理を実行するＣＰＵ１１６を有している。また、ＣＰＵ１１６には、ワーキングエリアとして機能するＲＡＭ１１８と、キーボードやマウス等から構成される入力部１１９と、液晶ディスプレイ等から構成される出力部１２０と、外部記憶装置１２１と、ディスクドライブ１２２とが接続されている。
【００３９】
外部記憶装置１２１には、画像形成装置３のプリンタドライバプログラムの格納領域や、内容物用紙Ｐ１に印刷する通知文Ｃ１の原稿データや、封筒用紙Ｐ２に印刷する宛先Ｃ２等のリストをファイル化した宛先リストファイル１２１ａ等を生成する、従来公知の帳票アプリケーションプログラムの格納領域、及び、封筒用紙Ｐ２に印刷する宛先Ｃ２等の原稿データを生成する印刷封入封緘アプリケーションプログラムの格納領域が確保されている。
【００４０】
また、外部記憶装置１２１には、帳票アプリケーションプログラムを用いて生成した原稿データや宛先リストファイル１２１ａの各格納領域等も確保されている。
【００４１】
図３は、宛先リストファイル１２１ａの内容を示す説明図である。図３に示す宛先リストファイル１２１ａでは、封筒用紙Ｐ２に印刷する宛先Ｃ２としての「郵便番号」、「住所」、「宛名氏名」と、後述する差出人Ｃ３（図４参照）として封筒用紙Ｐ２に選択して印刷する日本語表記の「送付者氏名」と英語表記の「Sender Name 」とが、宛先氏名別にリスト化されている。
【００４２】
ＣＰＵ１１６は、プロセッサやメモリその他の周辺装置によって構成される演算装置であり、入力部１１９から入力される起動要求にしたがって外部記憶装置１２１のアプリケーションプログラムを起動させる。
【００４３】
また、ＣＰＵ１１６は、入力部１１９からのパラメータ入力等により指示された画像を示す原稿データを、起動されたアプリケーションプログラム上において生成する。生成された原稿データは出力部１２０において表示出力され、また、入力部１１９から保存要求が入力された場合には、外部記憶装置１２１のデータベース領域に記憶される。外部記憶装置１２１に記憶される原稿データには、図３の宛先リストファイル１２１ａも含まれる。
【００４４】
外部記憶装置１２１のデータベース領域に記憶された原稿データは、アプリケーションプログラムの起動中に入力部１１９からの読み出し要求が入力された場合に、外部記憶装置１２１から読み出される。読み出された原稿データの印刷画像は、出力部１２０に表示出力することができ、また、アプリケーションプログラム上において加工して新たな原稿データに生成し直すこともできる。
【００４５】
上述したＣＰＵ１１６は、封書の印刷要求が入力された場合に、印刷封入封緘アプリケーションプログラムをＣＰＵ１１６上で実行させることでＣＰＵ１１６上に印刷封入封緘アプリドライバ１３０を仮想的に構築する。
【００４６】
ここで、ＣＰＵ１１６の上述した印刷封入封緘アプリケーションプログラム（請求項中の封筒画像生成プログラムに相当）を実行することで印刷封入封緘アプリドライバ１３０が行う処理の内容について説明する。
【００４７】
図４は、封筒用紙Ｐ２の拡大平面図である。図４に示す封筒用紙Ｐ２は、封入封緘装置４において、２箇所の折り目Ｐ３，Ｐ４から先の部分を内側に折り畳んで封筒Ｅを形成するための用紙である。封筒用紙Ｐ２を折り目Ｐ３，Ｐ４から折り畳むと、折り目Ｐ３，Ｐ４の間の部分が封筒Ｅの表面Ｅ１となり、封筒用紙Ｐ２の各折り目Ｐ３，Ｐ４よりも端部側の部分が封筒Ｅの裏面Ｅ２となる。
【００４８】
封筒Ｅの裏面Ｅ２においては、封筒用紙Ｐ２の折り目Ｐ３よりも一方の端部側の部分が、封筒用紙Ｐ２の破線Ｐ５よりも他方の端部側の部分（角を斜めに切り落とした部分）に重ね合わされ、この重ね合わせた部分において、封筒用紙Ｐ２の一方の端部が他方の端部に糊付けされることで、封筒Ｅが封止される。このため、封止された封筒Ｅの裏面Ｅ２には、封筒Ｅの封じ目Ｅ３が配置される。
【００４９】
印刷封入封緘アプリケーションプログラムにおいては、封筒用紙Ｐ２の封筒Ｅの表面Ｅ１となる部分に、宛先Ｃ２を配置する領域Ｅ４が設定されている。同様に、封筒用紙Ｐ２の封筒Ｅの裏面Ｅ２となる部分には、差出人Ｃ３やコメントＣ４、シーリングスタンプＣ５を配置する領域Ｅ５〜Ｅ７が設定されている。
【００５０】
封筒Ｅを形成する前の展開状態の封筒用紙Ｐ２の各領域Ｅ４〜Ｅ７には、封入封緘装置４の前段の画像形成装置３において、宛先Ｃ２、差出人Ｃ３、コメントＣ４及びシーリングスタンプＣ５が印刷される。これらの印刷に当たっては、封筒用紙Ｐ２を折り畳んで封筒Ｅを形成したときに、宛先Ｃ２、差出人Ｃ３、コメントＣ４及びシーリングスタンプＣ５が表面Ｅ１や裏面Ｅ２において正しく配置されるように、それらＣ２〜Ｃ５の封筒用紙Ｐ２上での配置を決める必要がある。
【００５１】
特に、封筒Ｅの裏面Ｅ２のシーリングスタンプＣ５は、封書に高級感を伴わせるために、封蝋（シーリングワックス）を模して封じ目Ｅ３の両側に跨がるように配置する必要がある。このため、シーリングスタンプＣ５を配置する封筒Ｅの裏面Ｅ２となる部分の封じ目Ｅ３に跨がる領域Ｅ７は、展開状態の封筒用紙Ｐ２においては、封じ目Ｅ３を境に２つに分かれる。
【００５２】
そこで、封筒用紙Ｐ２にシーリングスタンプＣ５を印刷する際には、２つに分けたシーリングスタンプＣ５を、封筒用紙Ｐ２の折り目Ｐ３，Ｐ４から先の部分にそれぞれ印刷する必要がある。
【００５３】
また、封筒用紙Ｐ２を折り目Ｐ３，Ｐ４から折り畳むと、封筒Ｅの表面Ｅ１と裏面Ｅ２はいずれも、折り目Ｐ３側が上向きとなる。このため、封筒Ｅの裏面Ｅ２となる部分の領域Ｅ５〜Ｅ７に配置される差出人Ｃ３、コメントＣ４及びシーリングスタンプＣ５を、封筒用紙Ｐ２の各領域Ｅ５〜Ｅ７に印刷する際には、それらを封筒用紙Ｐ２に対して上下逆転させた向きで印刷する必要がある。
【００５４】
そこで、上述した印刷封入封緘アプリドライバ１３０は、封筒Ｅにおける宛先Ｃ２、差出人Ｃ３、コメントＣ４及びシーリングスタンプＣ５の配置から、それらの封筒用紙Ｐ２における正しい配置を検出する。
【００５５】
図５は、印刷封入封緘アプリドライバ１３０がクライアント端末１００の出力部１２０に表示させる、封筒用紙Ｐ２に印刷する画像の封筒Ｅ上での配置を入力するレイアウト指定画面の説明図である。
【００５６】
図５に示すレイアウト指定画面では、封筒Ｅの表面Ｅ１と裏面Ｅ２のどちらの面について画像の配置を入力するかを、画面上部の「おもて」、「うら」のボタンのタッチ操作又は入力部１１９のクリック操作等によって選択することができる。図５では、裏面Ｅ２を選択した状態を示している。
【００５７】
また、レイアウト指定画面の上部には、「シーリングスタンプ生成」のチェックボックスとシーリングスタンプＣ５のロゴ標記を選択するプルダウンメニューとが設けられている。
【００５８】
「シーリングスタンプ生成」のチェックボックスは、レイアウト指定画面のタッチ操作又は入力部１１９のクリック操作等によってチェックボックスをチェックするか否かによって、封筒Ｅの裏面Ｅ２の領域Ｅ７にシーリングスタンプＣ５を印刷するか否かを指定することができる。
【００５９】
差出人Ｃ３の標記のプルダウンメニューでは、レイアウト指定画面のタッチ操作又は入力部１１９のクリック操作等によって、シーリングスタンプＣ５の中央に配置するロゴを、図３の宛先リストファイル１２１ａの日本語表記の「送付者氏名」の頭文字と英語表記の「Sender Name 」の頭文字のどちらにするかを選択することができる。この指定は、封筒Ｅの裏面Ｅ２の領域Ｅ５に印刷する差出人Ｃ３の標記（日本語、英語）にも反映される。
【００６０】
さらに、レイアウト指定画面の右側部分には、レイアウト指定画面のタッチ操作又は入力部１１９のクリック操作等によって、シーリングスタンプＣ５のデザインを選択肢の中から選ぶメニューが設けられている。図５では、四角の枠で囲まれた一番上の筆記体アルファベットによる正八角形のシーリングスタンプＣ５が選択された場合を示している。
【００６１】
そして、レイアウト指定画面では、封筒Ｅの選択した面、即ち、図５では裏面Ｅ２に配置する差出人Ｃ３、コメントＣ４及びシーリングスタンプＣ５の内容を、それぞれの原稿データや選択肢の中から指定することができる。これにより、例えば、図３の宛先リストファイル１２１ａから指定して読み出した差出人Ｃ３の内容や、外部記憶装置１２１の原稿データから指定して読み出したコメントＣ４の内容、あるいは、画面右側の選択肢から選んだデザインのシーリングスタンプＣ５の各画像が、対応する領域Ｅ５〜Ｅ７にそれぞれ流し込まれる。
【００６２】
以上のようにして、封筒Ｅの表面Ｅ１や裏面Ｅ２の領域Ｅ４〜Ｅ７に流し込む宛先Ｃ２、差出人Ｃ３、コメントＣ４及びシーリングスタンプＣ５を指定すると、図１の印刷封入封緘アプリドライバ１３０は、図４に示すような、展開状態の封筒用紙Ｐ２における宛先Ｃ２、差出人Ｃ３、コメントＣ４及びシーリングスタンプＣ５を配置する位置や向きを検出する。
【００６３】
したがって、クライアント端末１００の出力部１２０に表示されるレイアウト指定画面や入力部１１９は、請求項中のスタンプ画像指定部に相当している。また、印刷封入封緘アプリドライバ１３０は、請求項中のスタンプ展開位置検出部に相当している。また、印刷封入封緘アプリドライバ１３０は、請求項中の封筒画像生成部に相当している。
【００６４】
図６は、印刷封入封緘アプリドライバ１３０が行う封筒Ｅの裏面Ｅ２における封じ目Ｅ３に跨がるシーリングスタンプＣ５の配置から、展開状態の封筒用紙Ｐ２におけるシーリングスタンプＣ５を分けて配置する位置及び向きを検出する処理の手順を示すフローチャートである。
【００６５】
図６に示すように、印刷封入封緘アプリドライバ１３０は、封筒用紙Ｐ２におけるシーリングスタンプＣ５が配置されている部分の座標を検出し（ステップＳ１）、検出した座標が封じ目Ｅ３の座標上にあるか否かを確認する（ステップＳ３）。
【００６６】
シーリングスタンプＣ５の座標が封じ目Ｅ３の座標上にない場合は（ステップＳ３でＮＯ）、封筒Ｅの裏面Ｅ２となる部分の、封じ目Ｅ３に跨がる領域Ｅ７に、シーリングスタンプＣ５の画像が配置されていない（シーリングスタンプＣ５が封筒Ｅの封じ目Ｅ３に跨がって配置されていないものとして、一連の処理を終了する。
【００６７】
一方、シーリングスタンプＣ５の座標が封じ目Ｅ３の座標上にある場合は（ステップＳ３でＹＥＳ）、印刷封入封緘アプリドライバ１３０は、シーリングスタンプＣ５の、図５のレイアウト指定画面に表示された封筒Ｅの裏面Ｅ２における封じ目Ｅ３の上側と下側にそれぞれ配置する部分（封じ目の上の面／下の面に描画する画像の領域）を検出する（ステップＳ５）。
【００６８】
そして、印刷封入封緘アプリドライバ１３０は、シーリングスタンプＣ５の、封筒Ｅの裏面Ｅ２における封じ目Ｅ３の上側に配置する部分を、図４に示すように、封筒用紙Ｐ２の折り目Ｐ３側の端部（図４中上端）の封じ目Ｅ３に接するように上下を反転させて描画（配置）する（ステップＳ７）。
【００６９】
さらに、印刷封入封緘アプリドライバ１３０は、シーリングスタンプＣ５の、封筒Ｅの裏面Ｅ２における封じ目Ｅ３の下側に配置する部分を、図４に示すように、封筒用紙Ｐ２の折り目Ｐ４側の端部（図４中下端）側の、封じ目Ｅ３によって隠されない破線Ｐ５の上に接するように上下を反転させて描画（配置）した後（ステップＳ９）、一連の処理を終了する。
【００７０】
このようにして、図１の印刷封入封緘アプリドライバ１３０が、図４に示すような、展開状態の封筒用紙Ｐ２における宛先Ｃ２、差出人Ｃ３、コメントＣ４及びシーリングスタンプＣ５を配置する位置や向きを検出すると、クライアント端末１００の出力部１２０のレイアウト指定画面に、印刷要求を入力するためのボタン（図示せず）が表示される。
【００７１】
このボタンが、レイアウト指定画面のタッチ操作又は入力部１１９のクリック操作等によって押圧されると、図１の印刷封入封緘アプリドライバ１３０は、プリンタドライバプログラムをＣＰＵ１１６上で実行させることでＣＰＵ１１６上にプリンタドライバ１４０を仮想的に構築させる。
【００７２】
そして、２枚の内容物用紙Ｐ１に印刷する通知文Ｃ１の原稿データと、宛先Ｃ２、差出人Ｃ３、コメントＣ４及びシーリングスタンプＣ５を印刷封入封緘アプリドライバ１３０が検出した位置や向きで配置した１枚の封筒用紙Ｐ２に印刷する原稿データとを、プリンタドライバ１４０に引き渡す。
【００７３】
プリンタドライバ１４０は、印刷封入封緘アプリドライバ１３０から引き渡された原稿データから、２枚の内容物用紙Ｐ１と１枚の封筒用紙Ｐ２とで構成される通別の印刷ジョブを生成し、その印刷ジョブを画像形成装置３に出力する。
【００７４】
以上に説明した処理をＣＰＵ１１６に実行させるためのプリンタドライバプログラム及び各種のアプリケーションプログラムは、クライアント端末１００のディスクドライブ１２２により光学ディスク等のディスク状記録媒体１５０から読み取って、外部記憶装置１２１にインストールする（記憶させる）ことができる。
【００７５】
＜画像形成装置の構成＞
画像形成装置３は、印刷部９において、搬送系１０により給紙される内容物用紙Ｐ１に通知文Ｃ１の原稿データに基づいた印刷を行う。また、画像形成装置３は、印刷部９において、搬送系１０により給紙される封筒用紙Ｐ２に印刷封入封緘アプリドライバ１３０が生成した原稿データに基づいた印刷を行う。
【００７６】
印刷後の内容物用紙Ｐ１や封筒用紙Ｐ２は、不図示の連絡搬送路を介して画像形成装置３から封入封緘装置４に受け渡される。
【００７７】
画像形成装置３の動作は、画像形成コントローラ３７によって制御される。画像形成装置３で発生する各種状態は、操作パネルを兼ねたディスプレイ３９ａにおいて適宜表示される。
【００７８】
画像形成コントローラ３７は、ローカルエリアネットワークＬＡＮを介してクライアント端末１００と接続される外部インターフェイス部３７ａを有している。クライアント端末１００から画像形成コントローラ３７は、印刷画像の印刷ジョブを受け取る。
【００７９】
画像形成コントローラ３７は、受け取った印刷ジョブの原稿データに基づいて、内容物用紙Ｐ１や封筒用紙Ｐ２に印刷する画像をビットマップ展開する。画像形成装置３は、印刷ジョブにおいて指定された条件で、内容物用紙Ｐ１や封筒用紙Ｐ２に対応する画像を印刷部９において印刷する。
【００８０】
印刷部９に印刷動作を行わせる画像形成コントローラ３７は、ＣＰＵ３７ｂを備える。このＣＰＵ３７ｂは、ＲＯＭ３７ｃに格納されているプログラム及び設定情報に基づいて、印刷部９の動作の他、画像形成装置３内の内容物用紙Ｐ１や封筒用紙Ｐ２の搬送系１０の動作を制御する。搬送系１０は、印刷部９の前後において内容物用紙Ｐ１や封筒用紙Ｐ２を搬送する画像形成装置３内の全ての搬送系を含んでいる。
【００８１】
また、ＣＰＵ３７ｂにはディスプレイ３９ａが接続される。ディスプレイ３９ａはタッチパネル機能を有しており、タッチパネルのタッチ操作はＣＰＵ３７ｂによって認識される。
【００８２】
なお、画像形成コントローラ３７にはＲＡＭ３７ｄが設けられている。ＲＡＭ３７ｄにはフレームメモリ領域が設けられている。このフレームメモリ領域には、クライアント端末１００から画像形成コントローラ３７に入力された印刷ジョブによってＣＰＵ３７ｂが生成する印刷画像のビットマップデータが、印刷部９に出力されるまでの間、一時的に記憶される。
【００８３】
また、画像形成コントローラ３７には外部記憶装置３７ｅが設けられており、この外部記憶装置３７ｅはＣＰＵ３７ｂに接続されている。外部記憶装置３７ｅには、上述したＲＡＭ３７ｄから転送された未処理の印刷ジョブを記憶し蓄積する領域や、印刷処理後の印刷ジョブを選択的に記憶し保存する領域が設けられている。
【００８４】
＜封入封緘装置の構成＞
封入封緘装置４は、画像形成装置３の不図示の連絡搬送路から受け渡された印刷済の内容物用紙Ｐ１及び封筒用紙Ｐ２を受け入れる。受け入れた内容物用紙Ｐ１及び封筒用紙Ｐ２は個別の用紙搬送路に振り分けてそれぞれ搬送される。
【００８５】
内容物用紙Ｐ１の搬送路では、内容物用紙Ｐ１が封筒Ｅに封入可能な大きさに折り畳まれる。封筒用紙Ｐ２の搬送路では、封筒用紙Ｐ２が折り目Ｐ３，Ｐ４で折り畳まれて封筒Ｅが形成される。形成された封筒Ｅには、封緘前に、折り畳まれた内容物用紙Ｐ１が封入され、内容物用紙Ｐ１の封入後に、封筒用紙Ｐ２の折り目Ｐ３，Ｐ４よりも先の部分が重ね合わされて糊付けにより封止される。
【００８６】
以上のように構成された封入封緘システム１では、クライアント端末１００からの印刷ジョブに基づき画像形成装置３が内容物用紙Ｐ１や封筒用紙Ｐ２に通知文Ｃ１の画像や宛先Ｃ２、差出人Ｃ３、コメントＣ４及びシーリングスタンプＣ５の画像を印刷する。
【００８７】
通知文Ｃ１や宛先Ｃ２、差出人Ｃ３、コメントＣ４及びシーリングスタンプＣ５が印刷された内容物用紙Ｐ１や封筒用紙Ｐ２は、封入封緘装置４においてそれぞれ折り畳まれ、折り畳まれた内容物用紙Ｐ１が、封筒用紙Ｐ２を折り畳んで形成した封筒Ｅに封入され、さらに、封筒Ｅの封じ目Ｅ３が封緘加工されて封書が作成される。
【００８８】
このとき、クライアント端末１００の出力部１２０に表示されるレイアウト指定画面において、封筒Ｅの表面Ｅ１や裏面Ｅ２における宛先Ｃ２、差出人Ｃ３、コメントＣ４及びシーリングスタンプＣ５の内容を指定すると、印刷封入封緘アプリドライバ１３０が、展開状態の封筒用紙Ｐ２における各画像を配置する位置や向きを検出する。
【００８９】
ここで、展開状態の封筒用紙Ｐ２上では、封筒Ｅの封じ目Ｅ３の両側の部分が、封筒Ｅの裏面Ｅ２の封じ目Ｅ３の両側に位置する、封筒用紙Ｐ２の一方の端部（図４の封筒用紙Ｐ２の上端）と、他方の端部側（図４の封筒用紙Ｐ２の下端側）の破線Ｐ５の上とに分かれる。
【００９０】
このため、封筒Ｅの封じ目Ｅ３を跨いで配置されるシーリングスタンプＣ５の画像を配置する封筒用紙Ｐ２上の位置も、上述した封筒用紙Ｐ２の両端に分かれる。そして、各位置に配置されるのは、封じ目Ｅ３を境に分かれたシーリングスタンプＣ５の上半分の部分と下半分の部分の上下逆転させた向きの画像となる。
【００９１】
したがって、印刷後の封筒用紙Ｐ２を封入封緘装置４で折り目Ｐ３，Ｐ４から折り畳んで封筒Ｅを形成すると、封筒用紙Ｐ２の両端に分かれて配置されたシーリングスタンプＣ５の上半分の部分と下半分の部分とが、一つのシーリングスタンプＣ５につながって、封筒Ｅの裏面Ｅ２の封じ目Ｅ３を跨ぐ位置に、正しい向きで配置される。
【００９２】
よって、封筒用紙Ｐ２の封筒Ｅを形成した際に封じ目Ｅ３となる部分に印刷する、シーリングスタンプＣ５の画像を含んだ画像のデータを、簡便に生成することができる。
【００９３】
なお、封筒用紙Ｐ２の種類（大きさ、紙厚等）や、封筒Ｅに封入する内容物用紙Ｐ１の枚数は、通毎（宛先毎）に変わる場合がある。その場合は、封筒用紙Ｐ２の図４中上端（封じ目Ｅ３に位置する端部）の位置を基準にした折り目Ｐ３や折り目Ｐ４の位置が、図４中の上下方向に変わる可能性がある。
【００９４】
すると、例えば、封筒用紙Ｐ２の折り目Ｐ４と破線Ｐ５との間隔が狭まる可能性があり、そうすると、封筒Ｅを形成したときの領域Ｅ７の面積が減って、シーリングスタンプＣ５を配置するのにスペース不足となる可能性がある。
【００９５】
そこで、封筒用紙Ｐ２の種類や封筒Ｅに封入する内容物用紙Ｐ１の枚数が変わって、封筒用紙Ｐ２の折り目Ｐ４と破線Ｐ５との間隔が狭まる場合は、例えば、封筒用紙Ｐ２の２つに分かれた領域Ｅ７のうち、折り目Ｐ３側の端部（図４中上端）の封じ目Ｅ３に接する領域Ｅ７を、折り目Ｐ３側に拡張するようにしてもよい。
【００９６】
その場合、印刷封入封緘アプリドライバ１３０は、図７のフローチャートに示すように、封筒用紙Ｐ２の種類や封筒Ｅに封入する内容物用紙Ｐ１の枚数が、封筒用紙Ｐ２の折り目Ｐ４と破線Ｐ５との間隔が狭くなるように変わるか否かを確認し（ステップＳ１１）、変わらない場合は（ステップＳ１１でＮＯ）、一連の処理を終了する。
【００９７】
一方、封筒用紙Ｐ２の種類や封筒Ｅに封入する内容物用紙Ｐ１の枚数が、封筒用紙Ｐ２の折り目Ｐ４と破線Ｐ５との間隔が狭くなるように変わる場合は（ステップＳ１１でＹＥＳ）、印刷封入封緘アプリドライバ１３０は、封筒用紙Ｐ２の２つに分かれた領域Ｅ７のうち、折り目Ｐ３側の端部（図４中上端）の封じ目Ｅ３に接する領域Ｅ７を、折り目Ｐ３側に拡張し、ここに配置するシーリングスタンプＣ５の一部も、封筒用紙Ｐ２の折り目Ｐ３側の端部（図４中上端）側に拡張して配置した後（ステップＳ１３）、一連の処理を終了する。
【００９８】
この場合、図７のフローチャートにおけるステップＳ１１が、請求項中の用紙種類指定部や内容物枚数指定部に対応する処理となる。また、請求項中のスタンプ展開位置検出部は、上述した実施形態の処理に加えて、図７のステップＳ１３の処理をさらに実行する印刷封入封緘アプリドライバ１３０によって構成されることになる。
【００９９】
また、封筒用紙Ｐ２の種類や封筒Ｅに封入する内容物用紙Ｐ１の枚数が変わらなくても、シーリングスタンプＣ５の大きさ（領域Ｅ７の大きさ）を自由に設定できる場合は、例えば、封筒Ｅを形成したときの、封筒用紙Ｐ２の折り目Ｐ４と破線Ｐ５との間隔が、シーリングスタンプＣ５の大きさ（領域Ｅ７の大きさ）に対して不足し、シーリングスタンプＣ５の全体を配置するのにスペース不足となる可能性がある。そこで、設定されたシーリングスタンプＣ５の大きさ（領域Ｅ７の大きさ）に合わせて、封筒用紙Ｐ２の折り目Ｐ４と破線Ｐ５との間隔を変更できるようにしてもよい。
【０１００】
その場合、印刷封入封緘アプリドライバ１３０は、図８のフローチャートに示すように、封筒用紙Ｐ２の折り目Ｐ４と破線Ｐ５との間隔が、設定されたシーリングスタンプＣ５の大きさ（領域Ｅ７の大きさ）に対して不足するか否かを確認し（ステップＳ２１）、不足しない場合は（ステップＳ２１でＮＯ）、一連の処理を終了する。
【０１０１】
一方、封筒用紙Ｐ２の折り目Ｐ４と破線Ｐ５との間隔が、設定されたシーリングスタンプＣ５の大きさ（領域Ｅ７の大きさ）に対して不足する場合は（ステップＳ２１でＹＥＳ）、印刷封入封緘アプリドライバ１３０は、封筒用紙Ｐ２の折り目Ｐ３，Ｐ４を、封筒用紙Ｐ２の折り目Ｐ３側の端部（図４中上端）側に移動させた後（ステップＳ２３）、一連の処理を終了する。
【０１０２】
この場合、図８のフローチャートにおけるステップＳ２３が、請求項中の折り畳み位置決定部に対応する処理となる。
【０１０３】
なお、本発明はインクジェット方式、電子写真方式、孔版印刷方式等の各種の方式によるプリンタを画像形成装置とする場合に、広く適用することができる。
【０１０４】
また、本実施形態では、内容物用紙Ｐ１を折り畳んで封筒Ｅに封入した封書を作成する場合を例に取って説明した。しかし、本発明は、封筒用紙Ｐ２を折り畳んで封筒Ｅを形成し、封じ目において封止して封書とする場合にも適用可能である。
【符号の説明】
【０１０５】
１  封入封緘システム
２  画像形成システム
３  画像形成装置
４  封入封緘装置
９  印刷部
１０  搬送系
３７  画像形成コントローラ
３７ａ  外部インターフェイス部
３７ｂ，１１６  ＣＰＵ
３７ｃ，１１７  ＲＯＭ
３７ｄ，１１８  ＲＡＭ
３７ｅ，１２１  外部記憶装置
３９ａ  ディスプレイ
１００  クライアント端末（封筒画像生成装置）
１１９  入力部（スタンプ画像指定部）
１２０  出力部（スタンプ画像指定部）
１２１ａ  宛先リストファイル
１２２  ディスクドライブ
１３０  印刷封入封緘アプリドライバ（封筒画像生成部、スタンプ展開位置検出部、折り畳み位置決定部、用紙種類指定部）
１４０  プリンタドライバ
１５０  ディスク状記録媒体
Ｃ１  通知文
Ｃ２  宛先
Ｃ３  差出人
Ｃ４  コメント
Ｃ５  シーリングスタンプ
Ｅ  封筒
Ｅ１  表面
Ｅ２  裏面
Ｅ３  封じ目
Ｅ４〜Ｅ７  領域
ＬＡＮ  ローカルエリアネットワーク
Ｐ１  内容物用紙
Ｐ２  封筒用紙
Ｐ３，Ｐ４  折り目
Ｐ５  破線
【図１】
2018106503.tif 000003
【図２】
2018106503.tif 000004
【図３】
2018106503.tif 000005
【図４】
2018106503.tif 000006
【図５】
2018106503.tif 000007
【図６】
2018106503.tif 000008
【図７】
2018106503.tif 000009
【図８】
2018106503.tif 000010